(57)【要約】【課題】車両室内に配置されたシートを脱臭する性能が優れた車両室内浄化装置を提供する。【解決手段】乗員が着座するシートが配置されている車両室内に脱臭機能を有する帯電物質としての帯電粒子水を供給する車両室内浄化装置であって、乗員が降車している状態にあるか否かを判定し（Ｓ２）、少なくとも乗員が降車したと判定された場合、帯電粒子水を前記車両室内に供給する。【選択図】図６
2008174142.tif 000002
【特許請求の範囲】
【請求項１】
乗員が着座するシートが配置されている車両室内に脱臭機能を有する帯電物質を供給する浄化手段を備えた車両室内浄化装置において、
乗員が降車している状態にあるか否かを判定する乗員降車判定手段を備え、
前記浄化手段は、少なくとも前記乗員降車判定手段によって乗員が降車したと判定された場合、前記帯電物質を前記車両室内に供給することを特徴とする車両室内浄化装置。
【請求項２】
前記乗員降車判定手段は、乗員の降車直後の状態を判定し、
前記浄化手段は、前記乗員降車判定手段によって乗員の降車直後の状態が判定された時点から少なくとも所定時間、前記帯電物質を前記車両室内に供給することを特徴とする請求項１に記載の車両室内浄化装置。
【請求項３】
前記車両は、車両室内に空調エアを供給することで該車両室内を所定温度に調整可能な空調手段を備え、
前記浄化手段は、車両室内の空気中へ放電することによって該空気中の水分に帯電させて前記帯電物質としての帯電粒子水を生成することを特徴とする請求項２に記載の車両室内浄化装置。
【請求項４】
前記空調手段は、送風部の作動により前記車両室内に空調エアを供給することが可能であり、
前記浄化手段は、前記車両室内に供給される空調エアに前記帯電物質を混合することにより、該帯電物質を前記車両室内に供給することが可能であり、
前記送風部は、少なくとも前記所定時間の一部の時間において作動することを特徴とする請求項２に記載の車両室内浄化装置。
【請求項５】
前記車両室内浄化装置は、前記車両室内に供給される空調エアの風向を制御可能な風向制御手段をさらに備え、
前記風向制御手段は、少なくとも前記所定時間の一部の時間において、前記空調エアがシートの着座面に向かうように制御することを特徴とする請求項４に記載の車両室内浄化装置。
【発明の詳細な説明】
【技術分野】
【０００１】
本発明は、車両室内浄化装置に関する。
【背景技術】
【０００２】
従来より、車両の車両室内の空気を殺菌するために、空調エアを車両室内へ吹き出す空調装置の内部にプラズマクラスタ発生器を配置して、該プラズマクラスタ発生器に空調装置内において吹出口に向けて流れる空気へ殺菌作用を有する荷電粒子を放出させることが行われている（特許文献１）。
【０００３】
近年、水に電圧を印加して生成されるナノメータサイズの帯電粒子水は、臭気成分に付着すると臭気成分を不活性化させて消臭できることが明らかになっている。そこで、この原理を応用して、車両室内の脱臭を行う車両室内浄化装置が車両に設けられるようになってきた。
【０００４】
例えば特許文献２には、車両に設けられた空調装置内で吹出口に向けて流れる空気に上記帯電粒子水を混入させることにより、該空調装置の吹出口から上記帯電粒子水を車両室内に放出して、車両室内の消臭を行う車両室内浄化装置が開示されている。
【０００５】
また、特許文献３には、上記帯電粒子水を外部へ放出する車両室内浄化装置であって、車両室内の壁面やシート等に付着している臭気成分を除去すべく、インパネ上部やフロントピラーやセンターピラーに取り付け可能に形成されたものが開示されている。
【特許文献１】特開２００４−１２２８４３号公報
【特許文献２】特開２００６−１５１０４６号公報
【特許文献３】特開２００６−１１１２２７号公報
【発明の開示】
【発明が解決しようとする課題】
【０００６】
しかしながら、特許文献２又は３において、乗員の搭乗時に帯電粒子水等が車両室内に放出されたとしても、乗員が着座するシートは該乗員と接触しているため、シート表面に該帯電粒子水は直接吹き付けられない。このため、乗員の乗車時のみに、帯電粒子水等が車両室内に放出されたのでは、シートに付いた臭いを十分除去することができない。
【０００７】
また、上記特許文献１では、車両の駐車時、すなわち乗員の降車時に、荷電粒子が車両室内に放出されることが開示されているが、シートに付いた臭いを効果的に除去することはできない。
【０００８】
そこで、本発明は、かかる点に鑑みてなされたものであり、その目的とするところは、車両室内に配置されたシートを脱臭する性能が優れた車両室内浄化装置を提供することにある。
【課題を解決するための手段】
【０００９】
請求項１の発明は、乗員の降車時に、脱臭機能を有する帯電物質が、シートが配置されている車両室内に供給されるようにしたものである。
【００１０】
具体的には、乗員が着座するシートが配置されている車両室内に脱臭機能を有する帯電物質を供給する浄化手段を備えた車両室内浄化装置において、乗員が降車している状態にあるか否かを判定する乗員降車判定手段を備え、前記浄化手段は、少なくとも前記乗員降車判定手段によって乗員が降車したと判定された場合、前記帯電物質を前記車両室内に供給するものである。
【００１１】
本発明によれば、乗員の降車時に、前記帯電物質が車両室内に放出されるので、該帯電物質をシート表面に作用させて、シートに付いた臭気成分を効果的に除去することができる。
【００１２】
請求項２の発明は、乗員が降車した直後において、前記帯電物質を車両室内に供給するようにしたものである。
【００１３】
具体的には、前記乗員降車判定手段は、乗員の降車直後の状態を判定し、前記浄化手段は、前記乗員降車判定手段によって乗員の降車直後の状態が判定された時点から少なくとも所定時間、前記帯電物質を前記車両室内に供給するものである。
【００１４】
乗員降車時には、シート表面は比較的高温高湿度の状態になっているため、シートに付いた臭気成分が放出されやすい状態にあるが、本発明によれば、この状態にあるシートの表面に帯電物質が作用するため、よりシートの脱臭効果が向上する。
【００１５】
請求項３の発明は、前記車両は、車両室内に空調エアを供給することで該車両室内を所定温度に調整可能な空調手段を備え、前記浄化手段は、車両室内の空気中へ放電することによって該空気中の水分に帯電させて前記帯電物質としての帯電粒子水を生成するものである。
【００１６】
本発明によれば、乗員の乗車時に前記空調装置が作動された場合には、乗員降車直後における車両室内は、比較的高温高湿度の状態になっているため、浄化手段による帯電物質の生成が充分可能な状態となっている。このため、上記乗員の乗車時に前記空調装置が作動された場合には、確実に帯電物質が生成されて、シートの脱臭効果が維持される。
【００１７】
請求項４の発明は、前記空調手段は、送風部の作動により前記車両室内に冷風又は暖風を供給可能であり、前記浄化手段は、前記車両室内に供給される冷風又は暖風に帯電物質を混合することにより、該帯電物質を前記車両室内に供給可能であり、前記送風部は、少なくとも前記所定時間の一部の時間において作動するものである。
【００１８】
本発明によれば、少なくとも前記一部の時間において、車両室内に帯電物質が混合された空調エアが車両室内に供給される。これにより、帯電物質が確実に車両室内に放出されるために、帯電物質は、より効果的にシート表面に作用する。このため、シートの脱臭効果がより向上する。
【００１９】
請求項５の発明は、前記車両室内浄化装置は、前記車両室内に供給される冷風又は暖風の風向を制御可能な風向制御手段をさらに備え、前記風向制御手段は、少なくとも前記所定時間の一部の時間において、前記空調エアがシートの着座面に向かうように制御するものである。
【００２０】
本発明によれば、少なくとも前記一部の時間において、車両室内に供給される前記冷風又は暖風の風向がシートの着座面に向かうように制御されるために、帯電物質が確実にシート表面に接触する。このため、シートの脱臭効果がより一層向上する。
【発明の効果】
【００２１】
請求項１の発明によれば、乗員の降車時に、前記帯電物質が車両室内に放出されるので、該帯電物質をシート表面に作用させて、シートに付いた臭気成分を効果的に除去することができる。
【００２２】
請求項２の発明によれば、比較的高温高湿度の状態にあるシートの表面に帯電物質が作用するため、よりシートの脱臭効果が向上する。
【００２３】
請求項３の発明によれば、乗員の乗車時に前記空調装置が作動された場合には、確実に帯電物質が生成されて、シートの脱臭効果が維持される。
【００２４】
請求項４の発明によれば、帯電物質が確実に車両室内に放出されるために、帯電物質は、より効果的にシート表面に作用する。このため、シートの脱臭効果がより向上する。
【００２５】
請求項５の発明によれば、帯電物質が確実にシート表面に接触する。このため、シートの脱臭効果がより一層向上する。
【発明を実施するための最良の形態】
【００２６】
以下、本発明の実施形態を図面に基づいて詳細に説明する。
【００２７】
図１は、本発明の実施形態における車両室内浄化装置１を搭載した自動車の断面図を示している。
【００２８】
車両室内浄化装置１は、車両の空調装置１０内に配置された帯電粒子水（帯電物質）発生器２と、エンジンの停止及び車両のドアの開閉を検知するセンサ３と、制御装置としてのＥＣＵ４とを備えており、帯電粒子水発生器２とセンサ３とはＥＣＵ４に電気的に接続されている。
【００２９】
なお、センサ３は、エンジンの停止及び車両のドアの開閉を検知した場合には、直ちに検知信号をＥＣＵ４へ送信することが可能に設けられている。
【００３０】
図２は、帯電粒子水発生器２の概略構成を示すブロック図である。
【００３１】
帯電粒子水発生器２は、例えば特許文献３に開示されたものを適用でき、放電極２ａと、放電極２ａと対向する対向電極２ｂと、放電極２ａの先端に結露水を生成するペルチェユニット２ｃと、放電極２ａの先端と対向電極２ｂとの間に高電圧を印加する電圧印加部２ｄとを具備している。この帯電粒子水発生器２において、電圧印加部２ｄにより放電極２ａ先端と対向電極２ｂとの間に高電圧が印加されることで、ペルチェユニット２ｃにより放電極２ａ先端に生成された結露水が放電極２ａ先端で静電霧化されて、ナノメータサイズの帯電粒子水が生成される。
【００３２】
なお、ペルチェユニット２ｃは、放電極２ａ先端の周囲の空気を結露点以下にまで冷却することで、放電極２ａ先端の外面に結露水を生成する。
【００３３】
図３は、本発明の実施形態に係る空調装置１０が装着された車両のインストルメントパネル６を車室内から見た斜視図であり、図４は、空調装置１０の内部構造を示す断面図である。
【００３４】
なお、以下の説明では特に説明しない場合、「前」及び「後」はそれぞれ「車両前後方向前」及び「車両前後方向後」を意味しており、「左」及び「右」は、それぞれ車体を基準とした「車幅方向左」及び「車幅方向右」を意味している。
【００３５】
インストルメントパネル６の略中央部には、左右一対の縦長のベンチレータ８Ａが設けられており、ここから車両室内の中央寄りに空調エアを吹き出すようになっている。また、インストルメントパネル６の左右両端部にも、略中央部のものと同様の縦長のベンチレータ８Ｂが設けられており、それぞれ車両室内の運転席側及び助手席側に空調エアを吹き出すようになっている。さらに、インストルメントパネル６の上面の最奥部（前端部）にはフロントウインド７１用のデフロスタ９が設けられている。
【００３６】
インストルメントパネル６の内部における車幅方向の略中央部位には、空調装置１０の空調ユニット２０が収容されており、その上部に接続されたベント導出通路３０Ａ，３０Ｂ及びデフロスト導出通路３１を介してベンチレータ８Ａ，８Ｂ及びデフロスタ９に空調エアを送り出すようになっている。
【００３７】
空調ユニット２０は、ケーシング２１の内部にブロアユニット２２（送風部）を収容していて、該ブロアユニット２２により車両室外又は車両室内から空気を吸い込むとともに吸い込んだ空気を車両室内に吹き出すように構成されている。なお、ブロアユニット２２は、図５に示されるように、ＥＣＵ４に電気的に接続されており、その駆動がＥＣＵ４により制御可能に設けられている。
【００３８】
ブロアユニット２２の周りには吹き出した空気の流れを集合させて下方へ送る空気送り通路２５が形成され、その下流端に前記エバポレータ２３が配設されている。
【００３９】
前記エバポレータ２３の下流側で空気流の経路は上下に分岐し、該エバポレータ２３を通過した空気を前記ヒータコア２４に導く下側通路２６と、該ヒータコア２４をバイパスして上方に向かう上側通路２７とに分かれている。
【００４０】
そして、前記下側通路２６及び上側通路２７の下流端（上端）は、それぞれ、ケーシング２１の上部後側に形成されたエアミックス空間２８に連通している。すなわち、エアミックス空間２８の下端（上流端）は、前記下側通路２６及び上側通路２７の上端（下流端）に繋がっており、そこには暖風と冷風の混合割合を調整するエアミックスダンパ２９が設けられている。
【００４１】
一方、エアミックス空間２８の上部には、ベンチレータ８Ａ，８Ｂに接続されるベント導出通路３０Ａ，３０Ｂと、デフロスタ９に接続されるデフロスト導出通路３１とが配置され、それら導出通路３０Ａ，３ＯＢと導出通路３１との分岐部には通路開口面積を調節するための切換えドア３２，３３が配設されている。この切換えドア３２，３３の開度調節機構３４は、図５に示されるように、ＥＣＵ４に電気的に接続されており、その開閉がＥＣＵ４により制御可能となっている。なお、便宜のため、図３には、デフロスト導出通路３１の図示を省略している。
【００４２】
空調ユニット２０においては、ブロアユニット２２により空気送り通路２５に送られた空気が、仮想線の矢印で示すように流れ、エバポレータ２３を通過することによって冷却されて冷風になる。この冷風は、エアミックスダンパ２９の回動位置によって決まる風量の分配割合に応じて下側通路２６側と上側通路２７側とに分岐し、下側通路２６側に向かった冷風はヒータコア２４を通過することによって温められる。そうして一旦、下側通路２６及び上側通路２７に分かれた空気はエアミックス空間２８で合流するとともに混合されて、所定の温度及び湿度の冷風又は暖風となる。
【００４３】
そして、前記冷風又は暖風は、切換ドア３２，３３のそれぞれの開度が調整されるのに応じてベント導出通路３０Ａ，３０Ｂとデフロスト導出通路３１とのいずれかを通過した後、ベンチレータ８Ａ，８Ｂ又はデフロスタ９から車両室内へと供給されるようになる。そうして、この冷風又は暖風が、車両室内に供給されることで、車両室内は所定の温度に調整される。
【００４４】
また、ベンチレータ８Ａ，８Ｂには、ルーバ８ａ，８ｂが設けられ、空調ユニット２０内には、ルーバ８ａ，８ｂを揺動するルーバ駆動装置８ｃ（図３，４には図示せず）が配置されている。このルーバ駆動装置８ｃは、図５に示されるように、ＥＣＵ４に電気的に接続され、ＥＣＵ４により駆動制御されるようになっている。
【００４５】
帯電粒子水発生器２は、インストルメントパネル６の左右両端部のベンチレータ８Ａ，８Ｂの近傍に配置されており、帯電粒子水の生成部は、導入部４０を介して、該ベンチレータ８Ｂに接続するベント導出通路３０Ｂに連通している。
【００４６】
以上により、車両室内浄化装置１は、ブロアユニット２２を駆動させて、空調ユニット２０内に冷風又は暖風の空気流を生じさせるとともに、切換えドア３２，３３の開閉を切換えることで、該冷風又は暖風をベンチレータ８Ｂから車両室内に吹き出させることが可能になっている。さらに、車両室内浄化装置１は、帯電粒子水発生器２に帯電粒子水を生成させて、ベント導出通路３０Ｂを通過する冷風又は暖風に帯電粒子水を混合することにより、該帯電流水水をベンチレータ８Ｂから車両室内へ供給することが可能になっている。さらに、車両室内浄化装置１は、ルーバ駆動装置８ｃに、ベンチレータ８Ｂのルーバ８ｂの角度を調節させることで、図１の矢印に示すように、帯電粒子水が混合された冷風又は暖風を、ベンチレータ８Ｂからシート５０，５１の着座面へ向けて吹き出させることが可能になっている。
【００４７】
なお、乗員の乗車時には、切換ドア３２，３３の開度調整やエアミックスダンパ２９の回動位置及びブロアユニット２２の運転は、乗員による操作ダイヤル７の操作により設定されたモードに基づいて、前記空調ユニット２０のコントローラ（図示せず）により行われる。
【００４８】
次に、上記のように構成された車両室内浄化装置１の動作について図６を用いて説明する。なお、図６に示されるフローチャートは、ＥＣＵ４によって実行される。
【００４９】
はじめに、センサ３から送信されたデータが受信される（ステップS１）。
【００５０】
次いで、受信されたデータに基づいて、乗員が降車したか否かが判定される（ステップS２）。具体的には、センサ３から受信したデータに基づき、エンジンが停止した後、車両のドアの開閉動作がされたか否かが判断される。
【００５１】
次いで、エンジンが停止した後、車両のドアの開閉動作がされたことにより、乗員が降車したと判定された場合には（ステップＳ２でＹＥＳ）、車両室内が帯電粒子水の生成条件を満たす状態にあるか否かが判断される（ステップＳ３）。具体的には、車両室内が帯電粒子水を生成するのに適した温度及び湿度になっているか否かが判断される。この処理は、車両室内が低温もしくは低湿の状態にあるときには、帯電粒子水発生器２において、放電極２ａ先端と対向電極２ｂとの間に電圧が印加されても、放電極２ａ周囲の空気の冷却が進まず、帯電粒子水を放電極２ａの外面に生成することができないことに基づき実行される。なお、帯電粒子水の生成に適した車両の室内温度は、５度以上６０度以下である。
【００５２】
また、ステップＳ３以降の処理は、センサ３がエンジンの停止等を検知したときには検知データを直ちにＥＣＵ４へ送信することから、乗員の降車直後に実行される。
【００５３】
ステップＳ３において、帯電粒子水の作動条件が満たされていないと判断された場合（ステップＳ３でＮＯ）、図６に示す処理は終了する。
【００５４】
一方、帯電粒子水の生成条件が満たされていると判断された場合（ステップＳ３でＹＥＳ）、帯電粒子水が車両室内に供給される（ステップＳ４）。具体的には、ＥＣＵ４は、ブロアユニット２２を作動して、切換えドア３２を開、切換えドア３３を閉にするとともに、帯電粒子水発生器２に帯電粒子水を生成させる。これにより、ベント導出通路３０Ｂを通過する冷風又は暖風に帯電粒子水が混合され、該帯電粒子水が混合された冷風又は暖風が、ベンチレータ８Ｂから車両室内へ吹き出される。
【００５５】
次いで、ベンチレータ８Ｂから車両室内に吹き出される冷風又は暖風の風向きが制御される（ステップＳ５）。
【００５６】
具体的には、ＥＣＵ４は、該冷風又は暖風がシート５０，５１の着座面に向かって流れるようにルーバ駆動装置８ｃにベンチレータ８Ｂのルーバ８ｂの角度を調節させる。そうして、一定の時間が経過した後には、車両室内全体に冷風又は暖風が行きわたるように、ルーバ駆動装置８ｃにルーバ８ｂを揺動させる。
【００５７】
次いで、帯電粒子水の車両室内への供給が開始されてから、所定時間が経過したか否かが判断され（ステップＳ５）、所定時間が経過したと判断された場合には（ステップＳ５でＹＥＳ）、帯電粒子水の車両室内への供給が停止されて（ステップＳ６）、図５に示す処理は終了する。
【００５８】
以上、本実施形態によれば、乗員の降車時に、前記帯電粒子水が車両室内に放出されるので、該帯電粒子水をシート５０，５１表面に作用させて、シート５０，５１に付いた臭気成分を効果的に除去することができる。
【００５９】
また、乗員降車時には、シート５０，５１表面は比較的高温高湿度の状態になっているため、シート５０，５１に付いた臭気成分は放出されやすい状態にあるが、この状態にあるシート５０，５１の表面に帯電粒子水が作用するため、よりシート５０，５１の脱臭効果が向上する。
【００６０】
また、乗員の乗車時に空調装置１０が作動された場合には、乗員降車直後における車両室内は、比較的高温高湿度の状態になっているため、帯電粒子水の生成が充分可能な状態となっている。このため、上記乗員の乗車時に空調装置１０が作動された場合には、確実に帯電物質が生成されて、シート５０，５１の脱臭効果が維持される。
【００６１】
また、車両室内に帯電粒子水が混合された冷風又は暖風が車両室内に供給される。これにより、帯電粒子水が確実に車両室内に放出されるために、帯電粒子水は、より効果的にシート５０，５１表面に作用する。このため、シート５０，５１の脱臭効果がより向上する。
【００６２】
また、帯電粒子水が車両室内に供給される時間のうち、一部の時間においては、車両室内に供給される前記冷風又は暖風の風向がシート５０，５１の着座面に向かうように制御されるために、帯電粒子水が確実にシート５０，５１表面に接触する。このため、シート５０，５１の脱臭効果がより一層向上する。
【００６３】
本発明は、上述した実施形態のみに限定されるものではなく、特許請求の範囲内において、種々改変することができる。
【００６４】
例えば、上記センサ３に代えて、エンジンの停止等を検知してから所定の時間をおいて検知データをＥＣＵ４へ送信するセンサが車両室内浄化装置に設けられても良い。このようなセンサが設けられる場合であっても、乗員降車時に帯電粒子水を車両室内に供給することが可能である。
【００６５】
また、図６に示すステップＳ２で、乗員が降車したか否かを判断するために、エンジンが停止された後に、車両のドアの施錠がされたか否かが判断されてもよい。また、ステップＳ２において、イグニッションスイッチがオフ状態になった後に、車両のドアの開閉動作がされたか否か、あるいは車両のドアの施錠がされたか否かが判断されてもよい。なお、このようにステップＳ２の処理が変更される場合には、上記機器（エンジン、イグニッションスイッチ、車両のドア）の状態を検知可能なセンサが車両室内浄化装置に設けられる。
【００６６】
また、ステップＳ３において、車両室内が浄化システムの作動条件を満たす状態にあるか否かを判断するために、ステップS２で乗員が降車したと判定される直前において空調装置が作動していたか否かが判断されてもよい。これは、乗員の降車直前に空調装置が作動していた場合には、乗員降車直後における車両室内は、帯電粒子水を生成するのに適した温度又は湿度にあることによる。
【００６７】
また、図に示すステップＳ３は、車両に空調装置を搭載した場合には、乗員が必然的に空調装置を作動させる可能性が高いため、車両室内が常に帯電粒子水が生成するのに適した温度又は湿度に維持されるして、省略することができる。
【００６８】
また、図に示すステップＳ５において、ＥＣＵ４は、はじめに該冷風又は暖風が車両室内全体に向かって流れるようにルーバ駆動装置８ｃにルーバ８ｂを揺動させ、一定の時間が経過した後に、シート５０，５１の着座面に冷風又は暖風が行きわたるように、ルーバ駆動装置８ｃにベンチレータ８Ｂのルーバ８ｂの角度を調節させてもよい。
【００６９】
また、上記実施形態では、空調ユニット２０のブロアユニット２２を作動させることにより、シート５０，５１又は車両室内へ向けて帯電粒子水が含まれる冷風又は暖風を生じさせることとしたが、別途ファンを設けて、このファンの作動により生じる空気流に帯電粒子水を混合させて、該帯電粒子水を車両室内に吹き出させることとしてよい。この場合、図７に示すごとく、車幅方向外側のサイドベント導出通路３０Ｂ内において、導入部４０よりも上流側の位置に、ベンチレータ８Ｂに向かう空気流を生じさせることが可能なファン６０が配置される。また、この場合には、ファン６０の駆動装置が空調ユニット２０内に設けられるとともに、該駆動装置は、ＥＣＵ４と電気的に接続されて、ＥＣＵ４によりその駆動が制御される。
【００７０】
さらに、上記ファンが設けられる場合には、帯電粒子水を車両室内に供給するために、ＥＣＵ４は、該ファンのみを作動したり、あるいは、ブロアユニットとファンとを交互に作動することとしてもよい。ブロアユニットとファンとが交互に作動される場合には、帯電粒子水が車両室内に供給される時間（図６でＳ２の実行後、Ｓ６でＹＥＳと判断されるまでの時間）のうち、一部の時間のみにおいて、ブロアユニットは作動する。
【図面の簡単な説明】
【００７１】
【図１】本発明の実施形態における車両室内浄化装置１を搭載した自動車の断面図を示している。
【図２】帯電粒子水発生器２の概略構成を示すブロック図である。
【図３】本発明の実施形態に係る空調装置が装着された車両のインストルメントパネル６を車室内から見た斜視図である。
【図４】空調装置の内部構造を示す断面図である。
【図５】ＥＣＵに接続される機器を示すブロック図である。
【図６】ＥＣＵにより実行される処理を示すフローチャートである。
【図７】ベント導出通路にファンが形成された状態を示す平面図である。
【符号の説明】
【００７２】
１  車両室内浄化装置、
１０  空調装置（空調手段）、
２２  ブロアユニット送風部、
５０，５１  シート。
【図１】
2008174142.tif 000003
【図２】
2008174142.tif 000004
【図３】
2008174142.tif 000005
【図４】
2008174142.tif 000006
【図５】
2008174142.tif 000007
【図６】
2008174142.tif 000008
【図７】
2008174142.tif 000009